(57)【要約】【課題】本発明は、微生物数測定装置に関するもので、測定用セルの不適切な装着を防止することを目的とする。【解決手段】そしてこの目的を達成するために本発明は、純水１１が収納される容器６と、攪拌体１１と、測定電極１６、１７を設けた測定具３と、モータ２５とを備え、前記測定具３は、容器６外に、その一部が引き出された基板と、この基板の前記容器６内部分に配した前記測定電極と、この基板の前記容器６外部分に配した電極端子１４、１５とを有し、前記測定電極には、所定空間をおいて対向配置した電極１６、１７と、その対向部の外方に引き出し部１６ａ、１７ａを設け、この引き出し部１６ａ、１７ａを前記電極端子１４、１５に接続するとともに、前記基板の容器６外部分に、前記容器６が測定機器へ装着されたか否かを検知する装着検知端子３５を設ける構成とした。【選択図】図４
2012002518.tif 000002
【特許請求の範囲】
【請求項１】
棒状の検体採取用担体の下端部に設けた採取部が、測定液とともに収納される容器と、この容器内に設けた測定空間と、前記測定空間の底面上に設けた攪拌体と、この測定空間の攪拌体より上部に位置するように設けられた測定電極と、この測定電極を設けた測定具と、前記容器の測定空間外に設けられ、前記攪拌体を駆動する駆動部とを備え、
前記測定具は、容器の測定空間から容器外に、その一部が引き出された基板と、この基板の前記容器内部分に配した前記測定電極と、この基板の前記容器外部分に配した第１、第２の電極端子とを有し、
前記測定電極には、所定空間をおいて対向配置した第１、第２の電極と、その対向部の外方に引き出し部を設け、この引き出し部を前記第１、第２の電極端子に接続するとともに、前記基板の容器外部分に、前記容器が測定機器へ装着されたか否かを検知する装着検知端子を設ける構成とした測定用セル。
【請求項２】
測定具は、測定機器への接続部を有し、この接続部に第１、第２の電極端子および装着検知端子を配置するとともに、
前記装着検知端子は、前記第１、第２の電極端子よりも、前記接続部の接続側端から遠方に設け、
前記第１、第２の電極端子が測定機器に接続された後に、装着検知端子が測定機器に接続される構成とした請求項１に記載の測定用セル。
【請求項３】
装着検知端子は、第１、第２の電極端子とは独立して設けられた導電板により形成した請求項１または２に記載の測定用セル。
【請求項４】
装着検知端子は、第１、第２の電極端子に、挟まれて形成した請求項１から３のいずれか一つに記載の測定用セル。
【請求項５】
容器内の下方に測定電極を収納する測定空間、上方に測定液を収納する測定液収納空間を設けた請求項１から４のいずれか一つに記載の測定用セル。
【請求項６】
請求項１から５のいずれか一つに記載の測定用セルを装着する測定装置であって、
前記測定用セルを装着する装着部と、測定具の接続部を接続する接続ソケットとを有し、
前記接続ソケットには、前記測定具の接続部に設けた第１、第２の電極端子を接続する電極接続端子と、前記測定具の接続部に設けた装着検知端子を接続する装着検知接続端子とを設けるとともに、
前記装着検知接続端子には、前記測定用セルが測定機器へ装着されたか否かを検知する挿入検知部を接続した微生物数測定装置。
【請求項７】
接続検出部を構成する接続検出回路は、微生物数を測定する微生物数測定回路とは独立して設けた請求項６に記載の微生物数測定装置。
【発明の詳細な説明】
【技術分野】
【０００１】
本発明は、例えば口腔内の被検査物（微生物）を測定するための測定用セルと、それを用いた微生物数測定装置に関するものである。
【背景技術】
【０００２】
従来から知られている微生物数測定装置の測定用セルは、以下のような構成となっていた。
【０００３】
すなわち、棒状の検体採取用担体の下端部に設けた採取部が、測定液とともに収納される容器と、この容器内に設けた測定空間と、前記測定空間の底面上に設けた攪拌体と、この測定空間の攪拌体より上部に位置するように設けられた測定電極と、この測定電極を設けた測定具とを備えた構成となっていた。
【０００４】
また、この測定用セルを用いて微生物数の測定を実施する微生物数測定装置本体側には、前記容器の測定空間外に設けられ、前記攪拌体を駆動する駆動部が備えられていた。
【０００５】
そして、測定用セルを、微生物数測定装置本体に装着した後、微生物を採取した棒状の検体採取用担体の採取部を、測定用セルの容器上部から差し込み、容器の測定液と共に、容器内下部に設けた測定空間に配置し、その後、容器の外部下方に設けた駆動部を駆動させると、測定空間の底面上に設けた攪拌体が回転し、この攪拌体によって採取部が衝打され、この衝撃によって採取部内の微生物が、試料液の中に流出することとなる。
【０００６】
この流出した微生物は、攪拌体によって攪拌された試料液の攪拌水流にのって測定電極まで運ばれ、この測定電極にて微生物の数が測定される構成となっていた（たとえば、下記特許文献１）。
【先行技術文献】
【特許文献】
【０００７】
【特許文献１】特開２００９−２１４８９４号公報
【発明の概要】
【発明が解決しようとする課題】
【０００８】
上記従来例における課題は、測定用セルの不適切装着が防止できないということであった。
【０００９】
すなわち、微生物数を測定する際には、測定用セルを、その下方から、微生物数測定装置本体の上部に設けた装着部に差し込み、微生物数測定装置本体に当接するまで押し込んで装着する。つまり、測定用セルは、微生物数測定装置本体と当接することにより、適切に保持されるとともに、測定用セルの下方に設けた測定具の接続部が、微生物数測定装置本体内部に設けた接続ソケットに適切に差し込まれ、測定可能な状態となるのである。
【００１０】
しかしながら、時として、測定用セルの装着部への差し込みが、十分に行われないときがあり、この時には、測定用セルは、微生物数測定装置本体と当接しておらず、その下部を接続ソケットだけで保持された状態となってしまうことがある。
【００１１】
一方、微生物数の測定時には、測定用セルの外部下方に設けた駆動部が回転駆動されることで、測定用セルの底面上に設けた攪拌体が回転し、この攪拌体によって採取部が衝打され、採取部内の微生物が、試料液の中に流出することとなる。そして、この流出した微生物を測定電極まで運ぶために、前記攪拌体が高速に回転することによる、攪拌水流が形成されている。この攪拌水流は、測定用セルの中央部には、試料液に渦が形成されるほどの激しい攪拌を伴うものである。
【００１２】
このため、測定用セルが微生物数測定装置本体に不適切に装着された状態では、測定用セルが、その下部を接続ソケットだけで保持された状態となっており、その上部で、測定用セルの測定液が激しく攪拌されることにより、測定用セルは、激しく振動してしまう状態となる。
【００１３】
その結果として、この振動によって、測定用セルに設けた測定具の接続部と微生物数測定装置本体の接続ソケットとの接触抵抗が変化することとなり、適切な測定ができない状態となってしまうのであった。
【００１４】
そこで本発明は、測定用セルの不適切な装着を防止することを目的とする。
【課題を解決するための手段】
【００１５】
そしてこの目的を達成するために本発明は、棒状の検体採取用担体の下端部に設けた採取部が、測定液とともに収納される容器と、この容器内に設けた測定空間と、前記測定空間の底面上に設けた攪拌体と、この測定空間の攪拌体より上部に位置するように設けられた測定電極と、この測定電極を設けた測定具と、前記容器の測定空間外に設けられ、前記攪拌体を駆動する駆動部とを備え、前記測定具は、容器の測定空間から容器外に、その一部が引き出された基板と、この基板の前記容器内部分に配した前記測定電極と、この基板の前記容器外部分に配した第１、第２の電極端子とを有し、前記測定電極には、所定空間をおいて対向配置した第１、第２の電極と、その対向部の外方に引き出し部を設け、この引き出し部を前記第１、第２の電極端子に接続するとともに、前記基板の容器外部分に、前記容器が測定機器へ装着されたか否かを検知する装着検知端子を設ける構成とし、これにより所期の目的を達成するものである。
【発明の効果】
【００１６】
以上のように本発明は、棒状の検体採取用担体の下端部に設けた採取部が、測定液とともに収納される容器と、この容器内に設けた測定空間と、前記測定空間の底面上に設けた攪拌体と、この測定空間の攪拌体より上部に位置するように設けられた測定電極と、この測定電極を設けた測定具と、前記容器の測定空間外に設けられ、前記攪拌体を駆動する駆動部とを備え、前記測定具は、容器の測定空間から容器外に、その一部が引き出された基板と、この基板の前記容器内部分に配した前記測定電極と、この基板の前記容器外部分に配した第１、第２の電極端子とを有し、前記測定電極には、所定空間をおいて対向配置した第１、第２の電極と、その対向部の外方に引き出し部を設け、この引き出し部を前記第１、第２の電極端子に接続するとともに、前記基板の容器外部分に、前記容器が測定機器へ装着されたか否かを検知する装着検知端子を設ける構成としたものであるので、測定用セルの不適切な装着を防止できるものとなる。
【００１７】
すなわち、本発明の測定用セルにおいては、その容器外の下方に装着検知端子を設けており、この装着検知端子は、測定用セルが微生物数測定装置へ適切に装着された時にのみ、微生物数測定装置に設けた接続ソケットの内部端子に接続されるようになっている。そして、この接続を微生物数測定装置の接続検出部が検出する構造となっているのである。
【００１８】
その結果として、測定用セルが微生物数測定装置へ適切に装着されていない場合は、表示部にその旨を表示することにより、使用者に適切な装着を促すことができるものとなり、測定用セルの不適切な装着を防止できるものとなる。
【図面の簡単な説明】
【００１９】
【図１】本発明の一実施形態の微生物数測定装置の斜視図
【図２】本発明の一実施形態の微生物数測定装置の斜視図
【図３】それに用いる測定用セルの断面図
【図４】その測定具の正面図
【図５】その測定具の測定電極の拡大正面図
【図６】本発明の一実施形態の微生物数測定装置の斜視図
【図７】その電気的なブロック図
【図８】（ａ）（ｂ）は、その測定用セルを装着した断面図
【図９】その測定用セルの測定具の要部拡大図
【図１０】（ａ）（ｂ）は、その測定用セルの測定具の要部拡大図
【図１１】その動作フローチャート
【発明を実施するための形態】
【００２０】
以下本発明の一実施形態を、添付図面を用いて説明する。
【００２１】
図１は、口腔内の被検査物（微生物）を測定するための微生物数測定装置を示し、その上面には、図３に示す測定用セル１を装着する装着部２を備え、微生物数測定装置の内部には、図３に示す測定用セル１の測定具３に接続される、図７の測定部４を備えた構成となっている。
【００２２】
前記装着部２は、上面が開口部５となった円筒状の構成となっており、この開口部５から図２のごとく測定用セル１の下部が挿入される。
【００２３】
図３は、その測定用セル１の断面図である。
【００２４】
まずこの測定用セル１は、上面が開口したポリカーボネート製の有底筒状の容器６と、この容器６内を、下方の測定空間７と上方の液体収納空間８に仕切る薄膜９と、この容器６の前記液体収納空間８上を覆った薄膜１０とを備え、前記測定空間７内の中部には、上述した測定具３を設け、前記液体収納空間８内には、測定用の液体として純水１１を設けた構成となっている。
【００２５】
すなわち、容器６の底面から上方に順次、測定空間７、および液体収納空間８を設けた構成となっている。
【００２６】
なお、薄膜９、薄膜１０は、金属箔、具体的にはアルミニウム箔によって構成しており、薄膜９を、容器６の液体収納空間８の下部に設けた段部１２にその外周を固定し、薄膜１０を、容器６の液体収納空間８の上部開口部に設けたフランジ１３にその外周を固定している。
【００２７】
また、測定空間７内の中部に設けられた測定具３は、基板として用いたＰＥＴ上に、銀を蒸着させ、レーザーによって加工形成したものとなっている。
【００２８】
図４、図５は、測定具３を説明するための図であり、図４において、測定具３の中、上部は、容器６の測定空間７に設けられ、また、この測定具３の下部は、容器６の測定空間７外、下方に引き出されている。そしてこのように下方に引き出された測定具３の下部表面下端には、電極端子１４、１５が設けられており、測定具３の上方には、微生物数を測定するための測定電極として、櫛歯状の電極１６、１７が設けられている。これら電極１６、１７は、その対向部の外方に引き出し部１６ａ、１７ａを有しており、この引き出し部１６ａ、１７ａが電極端子１４、１５に、それぞれ連結されている。
【００２９】
この櫛歯状の電極１６、１７は、図５に示すごとく、長い経路に渡って、両者が極めて接近した対向状態となっており、これにより、両者間で静電容量が発生することになっている。
【００３０】
そして、微生物の数が多いと、これら電極１６、１７間の静電容量も大きくなり、この静電容量の変化から微生物数を測定するようになっている。
【００３１】
また、図３に示すごとく、測定具３に設けた、測定用の櫛歯状の電極１６、１７は、容器６内に配置され、電極端子１４、１５は、容器６外に配置されることとなる。
【００３２】
図６は、装着部２に、図４の測定用セル１を装着後に、この測定用セル１の容器蓋として、たとえばキャップ１８を被せたものであり、このキャップ１８のほぼ中央部には、棒状の検体採取用担体１９（例えば綿棒）を構成する棒体２０が貫通する貫通孔１８Ａを設けている。
【００３３】
検体採取用担体１９は、図７に示すごとく、その下端部に綿を丸めた採取部２１を設けたものであり、本実施形態においては、まず、この検体採取用担体１９の棒体２０を持って、採取部２１で患者の口腔内をなぞり、これにより口腔内から微生物を採取部２１によって採取する。
【００３４】
次に、この検体採取用担体１９の上端部（採取部２１の設けられていない端部）を、図３に示す測定用セル１の薄膜１０の中央部にのせ、その後、そのまま真下に突き降ろすと、検体採取用担体１９の上端部で、薄膜１０が突き破られ、つづいて、薄膜９が突き破られるのである。
【００３５】
そして、この状態から、検体採取用担体１９の棒体２０を、同心円を描くように回動させながら、薄膜１０、および薄膜９に空けた穴を広げていくと、液体収納空間８内の純水１１は、測定空間７へと流れ込み、測定具３上方の電極１６、１７は、純水１１の水面下に水没した状態となる。
【００３６】
つぎに、検体採取用担体１９を、測定用セル１から一旦引き抜き、検体採取部２１を下にして、図７に示すごとく、この採取部２１を測定用セル１の測定空間７へと差し込み、最後に、検体採取用担体１９の棒体２０の上端を、キャップ１８の貫通孔１８Ａに貫通させて、キャップ１８を容器６に被せる。すると、採取部２１は、測定空間７において純水１１の水面下に配置、水没した状態になる。
【００３７】
この状態では、測定用セル１の容器６の上方で、キャップ１８の貫通孔１８Ａが、検体採取用担体１９の棒体２０の上部を可動自在に支持する支持部となっており、この支持部より下方の棒体２０、および採取部２１は、前記支持部を緩やかな軸として、水平方向に回転するようになる。
【００３８】
さて、図７は、電気的なブロック図を示しており、容器６の底面下方には、ロータ２２が配置され、このロータ２２には、磁石２３、２４が配置されている。
【００３９】
すなわち、ロータ２２を、その駆動部であるモータ２５で回転させれば、磁石２３、２４の回転に伴い、容器６内の底部に可動自在に配置した棒状の攪拌体２６が回転し、これにより、攪拌体２６は、検体採取用担体１９の採取部２１を、衝打することになる。
【００４０】
なお、このとき、図７からも理解されるとおり、測定空間７において、攪拌体２６より上部に位置するように、測定電極１６、１７が、設けられることとなる。
【００４１】
その結果として、採取部２１は、叩きつけられるような衝撃を受け、採取部２１で採取した口腔内の微生物を、純水１１内へと効率よく流出させられるものとなっている。
【００４２】
また、棒体２０は、この棒体２０を支持する貫通孔１８Ａを頂点とした円錐を描くように運動することになるので、測定空間７内においては、採取部２１の回転力のみならず、この採取部２１に隣接する棒体２０の回転力も、純水１１を攪拌する力となり、この結果として、測定空間７内における純水１１は、上方の電極１６、１７にも十分到達する大きな攪拌作用が与えられた状態となる。
【００４３】
そして、上記流出動作が終了すると、電極１６、１７を用いた微生物の検出が開始される。
【００４４】
この測定について図７を用いて説明を続けると、純水１１内へと取り出された微生物を集めるために、電源部２７内部の交流電源部２７Ａによって、集菌のための交流電圧が測定具３の電極端子１４、１５（図４）に印加される。すると、純水１１内の微生物は、電圧印加による誘電泳動力により、プラスとマイナスに分極され、その結果として、その微生物は図５に示す櫛歯状の電極１６、１７部分に吸引されることになる。この時、電極１６、１７間に集まる微生物の数が多ければ、静電容量が大きくなる。
【００４５】
図７の測定部４は、制御部２８の指示により、この静電容量の大きさを測定してその結果を演算部２９に送る。この演算部２９では、測定部４の測定結果をもとに静電容量の変化率を求め、従来と同じ手法で微生物数に換算して、制御部２８を介して表示部３０へと表示をすることになる。
【００４６】
なお、図７の操作部３１は、以上の一連の動作に対する指示入力をするためのものである。
【００４７】
さて、ここで、図８は、本発明が解決しようとする課題について説明するための図で、図８（ａ）は、測定用セル１が、装着部２に、適切に装着された状態を示している。
【００４８】
図８（ａ）において、測定用セル１を、その下方から、微生物数測定装置本体の上部に設けた装着部２に差し込み、測定用セル１の段部１２が、微生物数測定装置本体の上面の外壁３２に当接するまで押し込んで装着する。つまり、測定用セル１は、微生物数測定装置本体の上面の外壁３２と当接することにより、適切に保持されるとともに、測定用セル１の測定具３の下方に設けた電極端子１４、１５が、微生物数測定装置本体内部に設けた接続ソケット３３に適切に差し込まれ、測定可能な状態となるのである。
【００４９】
なお、この接続ソケット３３は、微生物数測定装置本体内部に設けた装置基板３４上に配置される。
【００５０】
図８（ｂ）は、測定用セル１が、装着部２に、不適切に装着された状態を示している。
【００５１】
図８（ｂ）に示すごとく、使用者には、ついうっかりとして、測定用セル１を、装着部２に十分に差し込こめていない時があり、この時には、測定用セル１は、微生物数測定装置本体の外壁３２と非当接の状態となり、また、測定具３の下方に設けた電極端子１４、１５は、接続ソケット３３に、不十分に差し込まれた状態となり、つまり、測定用セル１が接続ソケット３３だけで保持された状態となってしまうことがある。
【００５２】
一方、微生物数の測定時には、測定用セル１の外部下方に設けたロータ２２が回転駆動されることで、測定用セル１の底面上に設けた攪拌体２６が回転し、この攪拌体２６によって採取部２１が衝打されて、採取部２１内の微生物が、純水１１の中に流出することとなる。
【００５３】
そして、この流出した微生物を測定の電極１６、１７まで運ぶために、前記攪拌体２６が高速に回転することによる、攪拌水流が形成されている。この攪拌水流は、測定用セル１の中央部には、純水１１に渦が形成されるほどの激しい攪拌を伴うものである。
【００５４】
このため、測定用セル１が微生物数測定装置本体に不適切に装着された状態では、測定用セル１が、その下部を接続ソケット３３だけで保持された状態となっており、その上部で、測定用セル１の純水１１が激しく攪拌されることにより、測定用セル１は、激しく振動してしまう状態となる。
【００５５】
その結果として、この振動によって、測定用セル１の測定具３の電極端子１４、１５と、接続ソケット３３との接触抵抗が変化することとなり、適切な測定ができない状態となってしまうのであった。
【００５６】
上記説明により、本実施形態の基本的な構成、動作、および従来の課題が理解された所で、以下、本実施形態における特徴点について詳細に説明を行う。
【００５７】
本実施形態の測定用セル１においては、図９に示すごとく、その測定具３の容器６外の下方に突出する端部に装着検知端子３５を設けており、この装着検知端子３５は、図１０（ｂ）に示すごとく、測定用セル１が接続ソケット３３へ不適切に装着された時には、接続ソケット３３の装着検知接続端子Ｐ５、Ｐ６には接続されないようになっている。
【００５８】
そして、図１０（ａ）に示すごとく、測定用セル１が接続ソケット３３へ適切に装着された時にのみ、接続ソケット３３の装着検知接続端子Ｐ５、Ｐ６に接続されるようになっている。そして、この接続を、装着検知接続端子Ｐ５、Ｐ６に接続された、図７の挿入検知部３６が検出する構造となっているのである。
【００５９】
その結果として、測定用セル１が微生物数測定装置の装着部２へ適切に装着されていない場合は、表示部３０にその旨を表示することにより、使用者に適切な装着を促すことができるものとなり、測定用セル１の不適切な装着を防止できるものとなる。
【００６０】
以下に、その詳細を説明する。
【００６１】
図９は、測定具３の下端部を示したもので、微生物数測定装置本体の接続ソケット３３への接続部を示している。
【００６２】
この接続部には、その基板表面に、電極端子１４、１５、および装着検知端子３５を設けており、導電性を持った四角形の装着検知端子３５が、電極端子１４、１５とは独立して、電極端子１４、１５に挟まれて形成されている。また、装着検知端子３５は、電極端子１４、１５よりも、接続部の接続側端から遠方に設けている。
【００６３】
一方、図１０（ａ）、（ｂ）は、これら装着検知端子３５、電極端子１４、１５と、接続ソケット３３との接続を説明するための図であり、図１０（ａ）、（ｂ）の電極接続端子Ｐ１〜Ｐ３、および、電極接続端子Ｐ８〜Ｐ１０は、図７の測定部４に接続されており、測定具３の測定用の電極１６、１７とともに、微生物数を測定する微生物数測定回路を形成している。
【００６４】
なお、図１０（ａ）、（ｂ）の端子、Ｐ４、Ｐ７は、電極端子１４、１５と、測定具３の基板の双方に接続されるため、オープンな端子としている。
【００６５】
一方、図７の挿入検知部３６には、装着検知接続端子Ｐ５、Ｐ６と、電源部２７の直流電源部２７Ｂが接続されている。挿入検知部３６において、装着検知接続端子Ｐ５、Ｐ６のいずれか一方は抵抗を介して直流電源部２７Ｂに接続され、他方はグランドに接続されている。このため、挿入検知部３６は、測定具３の装着検知端子３５とともに、測定具３の接続ソケット３３への適切な装着を検出する接続検出回路を形成したものとなっており、測定具３が接続ソケット３３へ適切に装着された際には、装着検知接続端子Ｐ５、Ｐ６が装着検知端子３５に接触し、装着検知端子３５を介して、装着検知接続端子Ｐ５とＰ６が同電位になることにより、測定具３が接続ソケット３３に適切に装着されたことを検知できるものとなっている。
【００６６】
なお、挿入検知部３６は、制御部２８に接続されており、測定具３の接続ソケット３３への装着を検出した際には、その検知を制御部２８に通知することとなる。
【００６７】
以上の構成により、本実施形態においては、測定用セル１を微生物数測定装置の装着部２へ装着すると、測定具３が接続ソケット３３に差し込まれるのであるが、この装着開始時においては、図１０（ｂ）に示すごとく、まず、電極端子１４は接続ソケット３３の電極接続端子Ｐ１〜Ｐ３に、電極端子１５は接続ソケット３３の電極接続端子Ｐ８〜Ｐ１０に、それぞれ接続される。
【００６８】
そして、測定用セル１を微生物数測定装置の装着部２にさらに押し込み、その装着が適切に完了すると、図１０（ａ）に示すごとく、装着検知端子３５に装着検知接続端子Ｐ５、Ｐ６が接続された状態、つまり、装着検知接続端子Ｐ５、Ｐ６が、装着検知端子３５を介して接続され同電位となり、この状態を、図７の挿入検知部３６が検知することにより、測定用セル１が微生物数測定装置の装着部２に適切に装着されたか否かを検知することができるのである。
【００６９】
この、測定用セル１の微生物数測定装置の装着部２への装着の検知動作、つまり、測定具３の接続ソケット３３への装着の検知動作を、図１１のフローチャートを用いて説明する。
【００７０】
まず、Ｓ１において、測定用セル１が装着部２に挿入される。
【００７１】
つぎに、Ｓ２において、検体採取用担体１９の採取部２１を、測定用セル１の容器６上部から差し込み、容器６の純水１１と共に、容器６内下部に設けた測定空間７に配置し、測定準備が完了する（Ｓ３）。
【００７２】
その後、Ｓ４において、図７の制御部２８が、挿入検知部３６に、測定用セル１が装着部２へ適切に装着されているか否かを問い合わせる。挿入検知部３６は、図１０（ａ）に示すごとく、接続ソケット３３の装着検知接続端子Ｐ５、Ｐ６が、同電位であるか否かを確認する。
【００７３】
装着検知接続端子Ｐ５、Ｐ６が、同電位であるときには、測定用セル１が装着部２へ適切に装着されているので、挿入検知部３６は、その旨を制御部２８に通知する。
【００７４】
その後、Ｓ５において、制御部２８が、モータ２５を回転させて懸濁を開始し、Ｓ６において、上述したごとく微生物数の測定を実施することとなる。
【００７５】
なお、Ｓ４において、図１０（ｂ）に示すごとく、測定用セル１が装着部２へ適切に装着されていない状態においては、接続ソケット３３の装着検知接続端子Ｐ５、Ｐ６が、測定具３の装着検知端子３５にまで届いておらず、装着検知接続端子Ｐ５、Ｐ６は同電位とはならない。
【００７６】
この時は、挿入検知部３６は、測定用セル１が装着部２へ適切に装着されていない旨を制御部２８に通知する。
【００７７】
すると、Ｓ８において、制御部２８は、表示部３０（図１）に、測定用セル１が装着部２へ適切に装着されていない旨の表示を行い、測定動作を中止する。
【００７８】
その結果として、測定用セル１の微生物数測定装置への装着が、適切に検出できるものとなり、測定用セル１が装着部２へ適切に装着されていない場合は、表示部３０にその旨を表示することにより、使用者に適切な装着を促すことができるものとなり、測定用セル１の不適切な装着を防止できるものとなる。
【００７９】
さらにまた、本実施形態の微生物数測定装置においては、微生物数を測定する微生物数測定回路と、測定具３の接続ソケット３３への装着を検出する接続検出回路の２つの回路系があるが、これら２つの回路をそれぞれ独立して形成している。
【００８０】
つまり、微生物数を測定する微生物数測定回路は、図１０（ａ）、（ｂ）の電極接続端子Ｐ１〜Ｐ３、および、電極接続端子Ｐ８〜Ｐ１０、および、測定部４（図７）、および測定具３の測定用の電極１６、１７とによって形成されている。
【００８１】
一方、測定具３の接続ソケット３３への装着を検出する接続検出回路は、装着検知接続端子Ｐ５、Ｐ６、および、挿入検知部３６（図７）、および測定具３の装着検知端子３５とにより形成している。
【００８２】
微生物数の測定においては、微少な容量変化を取り扱うことになるため、その回路系のドリフトが測定精度に大きな影響を与えることとなる。そのため、これら２つの回路系を独立させることで、接続検出回路による回路系のドリフトの影響を排除できるものとなっている。
【００８３】
その結果として、回路系のドリフトの影響を排除しつつ、測定用セル１が装着部２への適切な装着を検知できるものとなり、測定用セル１の不適切な装着を防止できるものとなる。
【００８４】
また、本実施形態においては、図９に示すごとく、装着検知端子３５を、電極端子１４、１５とは独立して、電極端子１４、１５に挟まれて形成しており、装着検知接続端子Ｐ５とＰ６が装着検知端子３５を介して接続され、同電位になることを、挿入検知部３６で検出するものとしている。
【００８５】
一方、装着検知端子３５の両側に配置した電極端子１４、１５には、その集菌時、および測定時に、交流電流が流れるのであるが、装着検知端子３５を間に挟むことで、電極端子１４、１５間の距離を大きくすることができ、電極端子１４、１５間のクロストークを防止することが出来るものとなっている。
【００８６】
その結果として、測定精度を上げながら、測定用セル１が装着部２への適切な装着を検知することができ、測定用セル１の不適切な装着を防止できるものとなる。
【産業上の利用可能性】
【００８７】
以上のように本発明は、棒状の検体採取用担体の下端部に設けた採取部が、測定液とともに収納される容器と、この容器内に設けた測定空間と、前記測定空間の底面上に設けた攪拌体と、この測定空間の攪拌体より上部に位置するように設けられた測定電極と、この測定電極を設けた測定具と、前記容器の測定空間外に設けられ、前記攪拌体を駆動する駆動部とを備え、前記測定具は、容器の測定空間から容器外に、その一部が引き出された基板と、この基板の前記容器内部分に配した前記測定電極と、この基板の前記容器外部分に配した第１、第２の電極端子とを有し、前記測定電極には、所定空間をおいて対向配置した第１、第２の電極と、その対向部の外方に引き出し部を設け、この引き出し部を前記第１、第２の電極端子に接続するとともに、前記基板の容器外部分に、前記容器が測定機器へ装着されたか否かを検知する装着検知端子を設ける構成としたものであるので、測定用セルの不適切な装着を防止できるものとなる。
【００８８】
すなわち、本発明の測定用セルにおいては、その容器外の下方に装着検知端子を設けており、この装着検知端子は、測定用セルが微生物数測定装置へ適切に装着された時にのみ、微生物数測定装置に設けた接続ソケットの内部端子に接続されるようになっている。そして、この接続を微生物数測定装置の接続検出部が検出する構造となっているのである。
【００８９】
その結果として、測定用セルが微生物数測定装置へ適切に装着されていない場合は、表示部にその旨を表示することにより、使用者に適切な装着を促すことができるものとなり、測定用セルの不適切な装着を防止できるものとなる。
【００９０】
従って、測定用セルと、それを用いた微生物数測定装置として、広く活用が期待されるものとなる。
【符号の説明】
【００９１】
１  測定用セル
２  装着部
３  測定具
４  測定部
５  開口部
６  容器
７  測定空間
８  液体収納空間
９  薄膜
１０  薄膜
１１  純水
１２  段部
１３  フランジ
１４、１５  電極端子
１６、１７  電極
１６ａ、１７ａ  引き出し部
１８  キャップ
１８Ａ  貫通孔
１９  検体採取用担体
２０  棒体
２１  採取部
２２  ロータ
２３、２４  磁石
２５  モータ
２６  攪拌体
２７  電源部
２７Ａ  交流電源部
２７Ｂ  直流電源部
２８  制御部
２９  演算部
３０  表示部
３１  操作部
３２  外壁
３３  接続ソケット
３４  装置基板
３５  装着検知端子
３６  挿入検知部
Ｐ１、Ｐ２、Ｐ３、Ｐ８、Ｐ９、Ｐ１０  電極接続端子
Ｐ５、Ｐ６  装着検知接続端子
【図１】
2012002518.tif 000003
【図２】
2012002518.tif 000004
【図３】
2012002518.tif 000005
【図４】
2012002518.tif 000006
【図５】
2012002518.tif 000007
【図６】
2012002518.tif 000008
【図７】
2012002518.tif 000009
【図８】
2012002518.tif 000010
【図９】
2012002518.tif 000011
【図１０】
2012002518.tif 000012
【図１１】
2012002518.tif 000013